(57)【要約】      （修正有）【課題】エレベータかごの昇降時にガバナ装置の一部の構成体の動きを活用して電力を発電して非常用電源に蓄電し、非常時の安全性及び信頼性を確保する。【解決手段】ガバナ装置の一部の構成体に組込んで電力を発電するエレベータの電力変換装置であって、所定の間隙を有するように起立されたシーブ取付け用ブラケット１７ａ，１７ｂと、このブラケットの間隙部分にシャフト１２ａを介して回転可能に支持し、エレベータかごの昇降動作に連動して上下方向に移動するガバナロープを掛け渡したガバナシーブ１２と、このガバナシーブ１２のシャフト１２ａと接すように配置され、ガバナシーブ１２の回転に連動して回転し電力を発電するロータ部２０ａを有する発電機２０と、この発電された電力を非常用電源に蓄電する手段とを設けたエレベータの電力変換装置である。【選択図】図２
2009113891.tif 000002
【特許請求の範囲】
【請求項１】
ガバナ装置の一部の構成体に組込んで電力を発電するエレベータの電力変換装置であって、
ガバナ本体部に取り付けられ、所定の間隙を有するように起立されたシーブ取付け用ブラケットと、
このシーブ取付け用ブラケットの間隙部分にシャフトを回転軸として回転可能に支持され、エレベータかごの昇降動作に連動して上下方向に移動するガバナロープが掛け渡されたガバナシーブと、
このガバナシーブのシャフトと接すように設けられ、前記ガバナシーブの回転に連動して回転し電力を発電するロータ部を有する発電機と、
この発電機で発電された電力をエレベータの非常用電源に蓄電する手段とを備えたことを特徴とするエレベータの電力変換装置。
【請求項２】
ガバナ装置の一部の構成体に組込んで電力を発電するエレベータの電力変換装置であって、
ガバナ本体部に取り付けられ、所定の間隙を有するように起立されたシーブ取付け用ブラケットと、
このシーブ取付け用ブラケットの間隙部分にシャフトを回転軸として回転可能に支持され、エレベータかごの昇降動作に連動して上下方向に移動するガバナロープが掛け渡されたガバナシーブと、
このガバナシーブの一側面に接するように配置され、前記ガバナシーブの回転に連動して回転し電力を発電するロータ部を有する発電機と、
この発電機で発電された電力をエレベータの非常用電源に蓄電する手段とを備えたことを特徴とするエレベータの電力変換装置。
【請求項３】
ガバナ装置の一部の構成体に組込んで電力を発電するエレベータの電力変換装置であって、
ガバナ本体部に取り付けられ、所定の間隙を有するように起立されたシーブ取付け用ブラケットと、
このシーブ取付け用ブラケットの間隙部分にシャフトを回転軸として回転可能に支持され、エレベータかごの昇降動作に連動して上下方向に移動するガバナロープが掛け渡されたガバナシーブと、
このガバナロープを両側から挟み込むように配置され、当該ガバナロープの上下方向の移動に連動して回転し電力を発電する少なくとも一方のみロータ部を有する発電機と、
この発電機で発電された電力をエレベータの非常用電源に蓄電する手段と、
前記ガバナロープの近傍に配置され、前記ロータ部を介してガバナロープに注油する注油器とを備えたことを特徴とするエレベータの電力変換装置。
【請求項４】
ガバナ装置の一部の構成体に組込んで電力を発電するエレベータの電力変換装置であって、
ガバナ本体部に取り付けられ、所定の間隙を有するように起立されたシーブ取付け用ブラケットと、
このシーブ取付け用ブラケットの間隙部分にシャフトを回転軸として回転可能に支持され、エレベータかごの昇降動作に連動して上下方向に移動するガバナロープが掛け渡されたガバナシーブと、
このガバナシーブの一側面部の所定円軌道上に等間隔、かつ、交互に配置されたＳ極磁石体及びＮ極磁石体と、
前記ガバナシーブの一側面部の前記円軌道ラインと向かい合うように配置され、前記ガバナシーブの回転に伴って交互に接近する前記磁石体のＳ極及びＮ極の磁場を交互に検出し、電力を発電する磁場検出装置を有する発電機と、
この発電機で発電された電力をエレベータの非常用電源に蓄電する手段とを備えたことを特徴とするエレベータの電力変換装置。
【請求項５】
ガバナ装置の一部の構成体に組込んで電力を発電するエレベータの電力変換装置であって、
ガバナ本体部とガバナテンショナーとの間に適宜な高さ位置に設置され、所定の間隙を有するように起立された発電機取付け用ブラケットと、
この発電機取付け用ブラケットに取り付けられ、前記ガバナ本体部のガバナシーブとガバナテンショナーとの掛け渡されたガバナロープを両側から抱え込むように配置され、当該ガバナロープの上下方向の移動に連動して回転し電力を発電するロープ振れ止め機能を兼ねる少なくとも一方のみロータ部を有する発電機と、
この発電機で発電された電力をエレベータの非常用電源に蓄電する手段とを備えたことを特徴とするエレベータの電力変換装置。
【請求項６】
ガバナ装置の一部の構成体に組込んで電力を発電するエレベータの電力変換装置であって、
ガバナテンショナーに取り付けられ、所定の間隙を有するように起立されたシーブ取付け用ブラケットと、
このシーブ取付け用ブラケットの間隙部分にシャフトを回転軸として回転可能に支持され、エレベータかごの昇降動作に連動して上下方向に移動するガバナロープが掛け渡されたテンショナー・シーブと、
このテンショナー・シーブのシャフトと接すように配置され、前記テンショナー・シーブの回転に連動して回転し電力を発電するロータ部を有する発電機と、
この発電機で発電された電力をエレベータの非常用電源に蓄電する手段とを備えたことを特徴とするエレベータの電力変換装置。
【発明の詳細な説明】
【技術分野】
【０００１】
本発明は、エレベータの調速器（ガバナ装置）を利用して電力を発電するエレベータの電力変換装置に関する。
【背景技術】
【０００２】
エレベータには、エレベータかごの走行時の異常速度を検知する調速器（以下、ガバナ装置と呼ぶ）が設置されている。このガバナ装置は、エレベータかごの走行速度に連動して回転する回転体及びこの回転体の回転速度を検知する速度検知器が設けられ、この速度検知器によりエレベータかごが規定速度（異常速度）を超えたことを検知したとき、自身によりエレベータかごを停止させる働きを持つと共に、エレベータかご下部の非常停止装置に働きかけ、かごガイドレールを掴み取って強制停止させる安全装置である。
【０００３】
従来、この種のガバナ装置は、前述したようにエレベータかごの走行速度検知とエレベータかごの強制停止との役割のみために使用されてきた。
【０００４】
ところで、エレベータは、エレベータかごを昇降させる必要から、使用する電力が大きい。そのため、専ら建屋側の電源部から供給される電力を用いてエレベータかごの昇降に使用し、非常時のみ別途設置されるバッテリー装置を用いてバックアップする体制をとっている。従って、エレベータのバッテリー装置は、蓄電された電力を消費するだけであって、非常時の短時間しか使用できず、長い時間にわたって使用することが難しい。
【０００５】
また、他のエレベータとしては、近年，自力で電力を発電してエレベータかごの電装品の電源の一部として使用するものが提案されている  。
【０００６】
このエレベータは、巻上機と乗りかご上部に設置されるかごシーブとの間にメインローブを掛け渡すと共に、かごシーブの回転部近傍に発電機を設置し、エレベータかごの昇降に応じて回転するかごシーブの回転動力をベルトを介して発電機に伝達し、当該発電機で発電された電力をエレベータかごの天井照明の電源に使用するものである（特許文献１）。
【特許文献１】特開２００５−２００１３８号公報（図３参照）
【発明の開示】
【発明が解決しようとする課題】
【０００７】
しかし、以上のようなエレベータにおいては、次のような問題が指摘されている。  
（１）  かご上部に設けた発電機の発電電力は、かご電装品の電源の一部であるかご照明装置に使用するため、非常用電源と無関係に使用されている。そのため、非常用のバッテリー装置としては、従来と同様に使いっぱなしの状態であり、非常時の蓄電電力の状態に応じてそのエレベータ稼動時間が大きな影響を受ける。すなわち、非常時に比較的短い時間しか電力を使用することができない。
【０００８】
（２）  かごシーブは、エレベータかごの昇降に利用することから、大きな外形のものが使用される。そのため、かごシーブの取り外しや整備、メンテナンスが大変であり、大掛かりな作業となってしまう。
【０００９】
（３）  かごシーブの回転力をベルトを介して間接的に発電機に伝達していることから、摩擦抵抗の影響を受け、電力を効率良く発電できない問題がある。
【００１０】
本発明は上記事情に鑑みてなされたもので、エレベータかごの昇降時にガバナ装置の一部の構成体の動きを有効に活用して電力を発電して非常用電源に蓄電し、非常時の安全性及び信頼性を確保するエレベータの電力変換装置を提供することを目的とする。
【課題を解決するための手段】
【００１１】
上記課題を解決するために、本発明は、ガバナ装置の一部の構成体に組込んで電力を発電するエレベータの電力変換装置であって、ガバナ本体部に取り付けられ、所定の間隙を有するように起立されたシーブ取付け用ブラケットと、このシーブ取付け用ブラケットの間隙部分にシャフトを回転軸として回転可能に支持され、エレベータかごの昇降動作に連動して上下方向に移動するガバナロープが掛け渡されたガバナシーブと、このガバナシーブのシャフトと接すように設けられ、前記ガバナシーブの回転に連動して回転し電力を発電するロータ部を有する発電機と、この発電機で発電された電力をエレベータの非常用電源に蓄電する手段とを設けた構成である。
【００１２】
なお、上記構成において、発電機のロータ部としては、ガバナシーブのシャフトに代え、例えばガバナシーブの一側面に接するように設けてもよく、ガバナロープを両側から挟み込むような構成であってもよい。但し、後者の場合にはガバナロープを挟み込むために複数の発電機のロータ部を用いるか、あるいは、一方に発電機のロータ部、他方に単なる回転体を用いてもよい。
【００１３】
また、本発明は、ガバナシーブの一側面部の所定円軌道上に等間隔、かつ、交互にＳ極磁石体及びＮ極磁石体を配置し、このガバナシーブの一側面部の円軌道ラインと向かい合うように磁場検出装置を有する発電機を設けた構成であってもよい。
【００１４】
さらに、ガバナ本体部のガバナシーブとガバナテンショナーとの掛け渡されたガバナロープを両側から抱え込むことにより、ロープ振れ止め機能を兼ねるロータ部を有する発電機を設けた構成であってもよい。また、発電機のロータ部をテンショナー・シーブのシャフトと接すように設けてもよい。
【発明の効果】
【００１５】
本発明によれば、エレベータかごの昇降時にガバナ装置の一部の構成体の動きを有効に活用して電力を発電して非常用電源に蓄電することにより、非常時の安全性及び信頼性を確保することができる。
【発明を実施するための最良の形態】
【００１６】
以下、本発明の実施の形態について図面を参照して説明する。  
図１及び図２は本発明に係るエレベータの電力変換装置の一実施の形態を説明する図であって、図1はエレベータの全体を概略的に示す構成図、図２はガバナ装置の構成体への発電機の取付け構成例図である。
【００１７】
このエレベータは、巻上機１及びそらせシーブ２に掛け渡されたメインロープ３の一端部にエレベータかご４、メインロープ３の他端部につり合いおもり５がそれぞれ吊下されている。巻上機１及びそらせシーブ２は、機械室６またはマシンレス室の場合には昇降路上部の適宜な個所に設置される。
【００１８】
また、エレベータにはガバナ装置１０が設けられている。  
ガバナ装置１０は、機械室６または昇降路上部などの適宜な個所に設置されるガバナ本体部１１に取着されたガバナシーブ１２と、昇降路のピット床部に設置されるガバナテンショナー１３とが設けられ、これらガバナシーブ１２とガバナテンショナー１３との間には無端状のガバナロープ１４が掛け渡されている。
【００１９】
ガバナロープ１４の所要部分にはかご連携部材１５が固着され、このかご連携部材１５とエレベータかご４上部に設けた連結バー１６とが連結されている。かご連携部材１５は、エレベータかご４の昇降動作に連動してガバナロープ１４を上下動させることにより、ガバナシーブ１２に回転駆動力を伝達する機能を持っている。ガバナ本体部１１には速度検知センサ（図示せず）が設けられ、ガバナシーブ１２の回転速度からエレベータかご４の昇降速度を検知し、規定速度を超えたときにガバナ本体部１１がガバナロープ１４の動きを封ずる働きを持っている。
【００２０】
さらに、ガバナシーブ１２の回転中心軸となるシャフト１２ａ（図２参照）近傍には発電機２０が設置される。すなわち、ガバナシーブ１２のシャフト１２ａには発電機２０のロータ部２０ａが接触され、当該シャフト２１ａの回転に連動してロータ部２０ａが回転する。その結果、発電機２０からロータ部２０ａの回転速度に比例した電力が発電され、蓄電池などの非常用電源２１に蓄電される。
【００２１】
図２はガバナ本体部１１への発電機２０の取付け例を説明する図である。
【００２２】
ガバナ本体部１１の適宜な個所には、基端部側が互いに重ね合わされ、その先端部側が所定の間隙を有するように起立されたＬ字状の２枚のシーブ取付け用ブラケット１７ａ，１７ｂが取付けられている。２枚のシーブ取付け用ブラケット１７ａ，１７ｂの先端部側の間隙部分にはガバナシーブ１２がシャフト１２ａを介して回転可能な状態に嵌め込まれている。
【００２３】
そして、一方のシーブ取付け用ブラケット１７ｂの外面部にはシャフト位置決め用のキープレート１８が設けられている。キープレート１８は、その先端部がガバナシーブ１２の一方のシャフト１２ａに形成される溝部１２ｂに遊動可能に嵌合され、ガバナシーブ１２の位置決め及び外側への飛び出しを阻止する役割をもっている。
【００２４】
キープレート１８にはシャフト１２ａ先端面部と向き合うように折り曲げられた発電機取付け用ブラケット１９ａが取付けられ、このブラケット１９ａにはシャフト１２ａと直接接するようなロータ部２０ａを備えた発電機２０が取付けられている。
【００２５】
次に、以上のようなエレベータの電力変換装置の作用について説明する。  
巻上機１の回転駆動に伴ってエレベータかご４が昇降動作すると、かご上部の連結バー１６と連結されるかご連携部材１５がエレベータかご４の動きに連動してガバナロープ１４を上下方向に移動させる。
【００２６】
その結果、ガバナロープ１４の上下方向への移動に従い、ガバナロープ１４の移動に追従してガバナシーブ１２が所定方向に回転する。ガバナシーブ１２が回転すると、当該ガバナシーブ１２のシャフト１２ａに直接接触する発電機２０のロータ部２０ａが回転し、その回転速度に比例した電力を発電する。
【００２７】
発電機２０で発電された電力は、非常用電源２１に供給し蓄電する。その結果、非常用電源２１としては、常時，発電機２０で発電された電力の供給を受けるので、蓄電容量の大きなものを使用でき、常に満杯状態に蓄電することができる。
【００２８】
従って、以上のような実施の形態によれば、蓄電容量の大きな非常用電源２１に常時満杯状態に蓄電することが可能であり、非常時に比較的長い時間にわたってエレベータかご４及びかご電装品に稼動させることができる。このことは、非常時に比較的長い時間エレベータかご４及びかご電装品に稼動させることにより、安全性及び信頼性を確保することができる。
【００２９】
また、ガバナシーブ１２のシャフト１２ａ近傍に発電機２０を配置するので、従来のようにエレベータかご４上部に上がってかごシーブを含む回転伝達系の取り外しや整備、メンテナンス等を行う必要がなくなり、手軽に取付け及び取り外しができる。
【００３０】
また、ガバナシーブ１２のシャフト１２ａに発電機２０のロータ部２０ａを直接接するように設けたので、シャフト１２ａの回転駆動力を効率良く発電電力に変換することができる。
【００３１】
（その他の実施の形態）
（１）  図３は本発明に係るエレベータの電力変換装置の他の実施形態例を説明する図である。なお、同図において、図２と同一または等価な部分には同一符号を付し、その詳しい説明を省略する。
【００３２】
この電力変換装置は、図２に示すようにガバナシーブ１２のシャフト１２ａに発電機２０のロータ部２０ａを接触させるのではなく、ガバナシーブ１２の一側面部に発電機２０のロータ部２０ａを接触させて、電力を発電する構成である。
【００３３】
具体的には、一方のブラケット１７ｂ先端部にコ字状の発電機取付け用ブラケット１９ｂが取り付けられ、このブラケット１９ｂの内側には発電機２０が固定される。この発電機２０のロータ部２０ａには当該ロータ部２０ａに直結される回転円板２０ｂが取り付けられている。この回転円板２０ｂの外周面部はガバナシーブ１２の側面部に接触させることにより、ガバナシーブ１２の回転駆動力がロータ部２０ａに伝達され、発電機２０が電力を発電する。なお、発電機２０のロータ部２０ａに回転円板２０ｂを直結したが、この回転円板２０ｂをロータ部２０ａに含めることができる。何となれば、ロータ部２０ａの先端部を膨出した回転円板とすれば、同等の機能を有するためである。
【００３４】
このような構成の電力変換装置においては、ガバナシーブ１２が図示矢印Ａ方向に回転すると、そのガバナシーブ１２の一側面部に接触する回転円板２０ｂが図示矢印Ｂ方向に回転し、この回転円板２０ｂの回転に伴って発電機２０のロータ部２０ａが回転する。その結果、発電機２０は、ロータ部２０ａの回転速度に比例する発電電力を生成し、蓄電池である非常用電源２１に蓄電することができる。
【００３５】
従って、以上のような実施の形態によれば、ガバナシーブ１２に発電機取付け用ブラケット１９ｂを介して発電機２０を取付け、ガバナシーブ１２の一側面部に接する回転円板２０ｂを介して発電機２０のロータ部２０ａに伝達し回転させることにより、容易に電力を発電できる。
【００３６】
従って、以上のような実施の形態によれば、シーブ取付け用ブラケット１７ｂに容易に発電機２０を取り付けでき、そのメンテナンスも簡単に行えるとともに、図２の実施の形態と同様に、蓄電容量の大きな非常用電源２１であっても、その非常用電源２１に常時満杯状態に蓄電でき、非常時に例えばエレベータかご４の昇降及びかご電装品を比較的長い時間にわたって安定に稼動でき、安全性及び信頼性を高めることができる。
【００３７】
また、ガバナシーブ１２のシャフト１２ａに発電機２０のロータ部２０ａまたは当該ロータ部２０ａに直結する回転円板２０ｂが直接接触されることにより、シャフト１２ａの回転駆動力を効率良く発電電力に変換できる。
【００３８】
（２）  図４は本発明に係るエレベータの電力変換装置のさらに他の実施の形態を示す構成図である。なお、同図において、図２と同一または等価な部分には同一符号を付し、その詳しい説明を省略する。
【００３９】
この実施の形態は、ガバナ本体部１１から延在されてガバナシーブ１２の下部に水平に配置されるベース板３１上に、先端部側が互いに所定の間隙をもって向い合うように設定され、かつ、基端部側が相対する方向に延在するようなＬ字状をなす２枚のシーブ取付け用ブラケット３２ａ，３２ｂが取付けられ、その先端部側の間隙部分にはガバナシーブ１２がシャフト１２ａを介して回転可能な状態に嵌め込まれている。
【００４０】
各シーブ取付け用ブラケット３２ａ，３２ｂの基端部側となる平坦面部にはガバナロープ１４と向き合うように逆コ字状の台座３３ａ，３３ｂが設置され、この台座３３ａ，３３ｂの上端平坦面部には注油器３４ａ，３４ｂが載置される。
【００４１】
この注油器３４ａ，３４ｂは、通常，ガバナシーブ１２とガバナロープ１４との摩擦音の低減及びガバナロープ１４の錆止め等の観点から、スポンジ３５ａ，３５ｂを介してガバナロープ１４に油を染み込ませる役割を持っている。
【００４２】
そこで、本実施の形態においては、２つの逆コ字状の台座３３ａ，３３ｂの向き合う面部側にはそれぞれ発電機２０Ａ１，２０Ａ２（２０Ａ１は図示せず）を取り付けられ、各発電機２０Ａ１，２０Ａ２のロータ部２０ａ１，２０ａ２（２０ａ１は図示せず）には両側からガバナロープ１４を挟み込むようにローラ３６ａ，３６ｂが直結されている。
【００４３】
なお、ローラ３６ａ，３６ｂはロータ部２０ａ１，２０ａ２の一部であり、ローラ３６ａ，３６ｂの代わりにロータ部２０ａ１，２０ａ２の先端部をローラ３６ａ，３６ｂ相当の形態に形成してもよい。
【００４４】
そして、スポンジ３５ａ，３５ｂは、従来のガバナロープ１４に代えてローラ３６ａ，３６ｂを介してガバナロープ１４に油を染み込ませる構成とする。
【００４５】
このような構成の電力変換装置においては、巻上機１の回転駆動に伴ってエレベータかご４が昇降動作すると、かご上部の連結バー１６に連結されるかご連携部材１５がエレベータかご４の動きに連動して上下方向に動き、当該連携部材１５と共にガバナロープ１４が上下方向に移動する。
【００４６】
このとき、ガバナロープ１４を挟み込むようにローラ３６ａ，３６ｂが設置されているので、ガバナロープ１４の上下移動に伴ってローラ３６ａ，３６ｂが回転し、発電機２０Ａ１，２０Ａ２のロータ部２０ａ１，２０ａ２に伝達するので、各発電機２０Ａ１，２０Ａ２からローラ３６ａ，３６ｂの回転速度に比例した電力を発電することができ、ひいては、常時，非常用電源２１を満杯状態に蓄電することが可能となる。
【００４７】
しかも、注油器３４ａ，３４ｂは、スポンジ３５ａ，３５ｂを通して油をローラ３６ａ，３６ｂに付与し、さらにローラ３６ａ，３６ｂを経由してガバナロープ１４に染み込ませるので、ガバナシーブ１２とガバナロープ１４、ガバナロープ１４とローラ３６ａ，３６ｂの摩擦音を低減でき、また、ガバナロープ１４の錆止め等の役割も果すことができる。
【００４８】
従って、以上のような実施の形態によれば、図２に示す実施の形態で得られる効果を奏する他、注油器３４ａ，３４ｂからの油をローラ３６ａ，３６ｂを介してガバナロープ１４に染み込ませることにより、ガバナシーブ１２とガバナロープ１４との摩擦音及びガバナロープ１４とローラ３６ａ，３６ｂとの摩擦音の低減化にも貢献できる。
【００４９】
なお、２枚のシーブ取付け用ブラケット３２ａ，３２ｂにそれぞれ台座３３ａ，３３ｂを設け、それら両台座３３ａ，３３ｂに発電機２０ａ，２０ｂを取付けたが、何れか一方の台座例えば３３ａに発電機２０ａを取付け、他方の台座３３ｂには単に回転ローラを取り付けた構成であってもよい。
【００５０】
（３）  図５は本発明に係るエレベータの電力変換装置のさらに他の実施形態例を説明する図である。なお、同図において、図２と同一または等価な部分には同一符号を付し、その詳しい説明を省略する。
【００５１】
この実施の形態は、ガバナシーブ１２の一側面部の中心部から所定距離離れた円軌道上には等間隔、かつ、交互にＳ極磁石４１ａ及びＮ極磁石４１ｂを配置し、それに伴って発電機２０側にも工夫を講じたものである。
【００５２】
具体的には、ガバナ本体部１１の適宜な個所に、基端部側が互いに重ね合わされ、その先端部側が所定の間隙を有するように起立されたＬ字状の２枚のシーブ取付け用ブラケット１７ａ，１７ｂが取り付けられている。２枚のシーブ取付け用ブラケット１７ａ，１７ｂの先端部側の間隙部分にはガバナシーブ１２がシャフト１２ａを介して回転可能な状態に嵌め込まれている。
【００５３】
そして、外側に面するシーブ取付け用ブラケット１７ｂ先端部にＬ字状の発電機取付けブラケット１９ｃが取付けられ、当該ブラケット１９ｃの内側にはガバナシーブ１２が回転したとき、当該ガバナシーブ１２の一側面部に添設されたＳ極磁石４１ａ及びＮ極磁石４１ｂと向かい合うような位置関係で発電機２０が固定されている。
【００５４】
この発電機２０には磁場検出装置４２が取り付けられ、ガバナシーブ１２の回転に伴ってＳ極磁石４１ａとＮ極磁石４１ｂとが交互に向き合ったとき、そのＳ極及びＮ極を検出することにより、発電機２０には磁場の変化による起電力が誘起される。つまり、発電機２０は、ガバナシーブ１２の回転に伴って電力を発電し、非常用電源２１に供給し蓄電する。
【００５５】
従って、以上のような実施の形態によれば、ガバナシーブ１２の一側面部の所定円軌道上に等間隔、かつ、交互にＳ極磁石４１ａ及びＮ極磁石４１ｂを配置し、一方、ガバナシーブ１２の一側面部の所定円軌道ライン上の近傍に発電機２０の磁場検出装置４２を配置することにより、ガバナシーブ１２の回転に伴い、発電機２０の磁場検出装置４２が交互にＳ極とＮ極を検出し、所要とする電力を発電するので、ガバナシーブ１２の一側面部近傍に磁場検知装置４２を備えた発電機２０を設置するだけで、容易に電力を発電でき、常時，非常用電源２１を満杯状態に蓄電することができ、非常時の安全性及び信頼性の向上に大きく貢献できる。
【００５６】
（４）  図６は本発明に係るエレベータの電力変換装置のさらに他の実施の形態を示す構成図である。なお、同図において、図１，図２,図４と同一または等価な部分には同一符号を付し、その詳しい説明を省略する。
【００５７】
従来、ガバナ本体部１１とガバナテンショナー１３との間に、ガバナロープ１４の振れ止めを設置する場合があるが、本実施の形態においては、ガバナロープ１４の振れ止めと電力の発電とを兼ねる構成を実現することにある。
【００５８】
具体的には、昇降路７の所要とする高さの壁面にＬ字状部材５１を取り付け、当該Ｌ字状部材５１の平坦面部に対して、一方の辺部が上方に起立するような位置関係をもってＬ字状部材５２をボルト５３及びナット５４にて緊締する。これら部材５１〜５４は発電機取付け用ブラケットに相当する機能を有する。
【００５９】
そして、Ｌ字状部材５２の一方の辺部，つまりガバナロープ１４と向かい合うＬ字状部材５２の起立辺部の面部には２つの発電機２０Ａ１，２０Ａ２を取付けるとともに、各発電機２０Ａ１，２０Ａ２のロータ部２０ａ１，２０ａ２には両側からガバナロープ１４を挟み込んで振れ止め機能を有し、かつ、ガバナロープ１４の上下方向の移動に伴って回転するローラ５５ａ，５５ｂが設けられている。
【００６０】
従って、以上のような構成とすることにより、ガバナロープ１４が上下方向に移動すると、２つのローラ５５ａ，５５ｂがガバナロープ１４を抱え込んでいるので、ガバナロープ１４の振れ止めの機能を果たすとともに、２つのローラ５５ａ，５５ｂの回転によってロータ部２０ａ１，２０ａ２が回転するので、発電機２０Ａ１，２０Ａ２は電力を発電し、非常用電源２１に発電電力を供給し蓄電することができる。
【００６１】
従って、以上のような実施の形態によれば、昇降路７の所要とする高さの壁面に発電機取付け用ブラケット５１，５２を介して２つの発電機２０Ａ１，２０Ａ２を設置し、当該発電機２０Ａ１，２０Ａ２のロータ部２０ａ１，２０ａ２に直結するローラ５５ａ，５５ｂを用いて、ガバナ本体部１１とガバナテンショナー１３との間に掛け渡されたガバナロープ１４を挟み込むようにしたので、ガバナロープ１４の振れ止めの機能を有する他、ロータ部２０ａ１，２０ａ２の回転により、発電機２０Ａ１，２０Ａ２が電力を発電することができる。
【００６２】
よって、蓄電容量の大きな非常用電源２１に常時満杯状態に蓄電することが可能であり、非常時に比較的長い時間にわたって安定にエレベータかご４及びかご電装品に稼動させることができる。また、ガバナロープ１４に対して、発電機２０Ａ１，２０Ａ２のロータ部２０ａ１，２０ａ２に直結するローラ５５ａ，５５ｂが直接接しているので、シャフト１２ａ，１２ｂの回転駆動力を効率良く発電電力に得ることができる。
【００６３】
なお、発電機取付け用ブラケット５１，５２を介して２つの発電機２０Ａ１，２０Ａ２を設置したが、発電機取付け用ブラケット５２の一端側にローラのみ、発電機取付け用ブラケットの他端側に発電機２０Ａ1または２０Ａ２を取り付けた構成であってもよい。また、ロータ部２０ａ１，２０ａ２自体が先端部を膨出した円板形状とし、ローラ５５ａ，５５ｂを兼ねる構成であってもよい。
【００６４】
（５）  図７は本発明に係るエレベータの電力変換装置のさらに他の実施の形態例を示す構成図である。なお、同図において、図１，図２,図４と同一または等価な部分には同一符号を付し、その詳しい説明を省略する。
【００６５】
この実施の形態は、ガバナ装置１０のガバナテンショナー１３に発電機２０を取り付けた例である。
【００６６】
具体的には、昇降路７のピット床などに設置されるガバナテンショナー１３に所定の間隙をするように２枚のシーブ取付け用ブラケット６１ａ，６１ｂを取り付け、これら２枚のブラケット６１ａ，６１ｂの上端部の間隙部分にはテンショナー・シーブ６２がシーブシャフト６２ａを介して回転可能な状態に嵌め込まれている。
【００６７】
そして、一方のシーブ取付け用ブラケット６１ｂの面部にはシャフト位置決め用のキープレート６３が設けられている。キープレート６３は、その先端部がテンショナー・シーブ６２の一方のシャフト６２ａに形成される溝部６２ｂに遊動可能に嵌合され、テンショナー・シーブ６２の位置決め及び外側への飛び出しを阻止する役割をもっている。
【００６８】
キープレート６３にはシャフト６２ａ先端面部と向き合うように折り曲げられた発電機取付け用ブラケット１９ｄが取付けられ、このブラケット１９ｄにはシャフト６２ａと直接接するようなロータ部２０ａを備えた発電機２０が取付けられている。
【００６９】
次に、以上のようなエレベータの電力変換装置の作用について説明する。  
巻上機１の回転駆動に伴ってガバナロープ１４の上下方向に移動すると、ガバナロープ１４の動きに追従してテンショナー・シーブ６２を所定方向に回転させる。テンショナー・シーブ６２が回転すると、当該テンショナー・シーブ６２のシャフト６２ａに直接接触する発電機２０のロータ部２０ａが回転し、その回転速度に比例した電力を発電する。
【００７０】
発電機２０で発電された電力は、非常用電源２１に供給し蓄電する。このことは、非常用電源２１としては、常時，発電機２０で発電された電力の供給を受けるので、蓄電容量の大きなものを使用でき、常に満杯状態に蓄電することができる。
【００７１】
従って、以上のような実施の形態によれば、蓄電容量の大きな非常用電源２１に常時満杯状態に蓄電することが可能であり、非常時に比較的長い時間にわたって安定にエレベータかご４及びかご電装品に稼動させることができ、安全性及び信頼性を向上させることができる。
【００７２】
また、テンショナー・シーブ６２のシャフト６２ａに直接接触するように発電機２０を設置しているので、従来のようにエレベータかご４上部に上がってかごシーブを含む回転伝達系の取り外しや整備、メンテナンス等を行う必要がなくなり、手軽に取付け及び取り外しができる。
【００７３】
また、ガテンショナー・シーブ６２のシャフト６２ａに発電機２０のロータ部２０ａを直接接するように設けたので、シャフト１２ａの回転駆動力を効率良く発電電力に変換することができる。
【００７４】
その他、本発明は、上記実施の形態に限定されるものでなく、その要旨を逸脱しない範囲で種々変形して実施できる。例えばＬ字状の２枚のシーブ取付け用ブラケット例えば１７ａ，１７ｂを用いて、所定の間隙を有する起立部を形成したが、例えばＬ字状の１枚のシーブ取付け用ブラケットの平坦部に溶接付けなどで１枚の起立板を立設し、この起立板とシーブ取付け用ブラケットの起立部とで所定の間隙を形成し、シーブなどを回転可能に嵌め込む構成であってもよい。
【図面の簡単な説明】
【００７５】
【図１】本発明に係るエレベータの電力変換装置を適用する一構成例としてのエレベータの全体を示す概略構成図。
【図２】本発明に係るエレベータの電力変換装置の一実施の形態を説明する構成図であって、同図（ａ）は一側方から見た側面図、同図（ｂ）は正面図、同図（ｃ）は他側方からみた側面図。
【図３】本発明に係るエレベータの電力変換装置の一実施の形態を説明する構成図であって、同図（ａ）は正面図、同図（ｂ）は他側方（外側）からみた側面図。
【図４】本発明に係るエレベータの電力変換装置のさらに他の実施の形態を説明する構成図であって、同図（ａ）は正面図、同図（ｂ）は他側方（外側）からみた側面図。
【図５】本発明に係るエレベータの電力変換装置のさらに他の実施の形態を説明する構成図であって、同図（ａ）は正面図、同図（ｂ）は他側方（外側）からみた側面図。
【図６】本発明に係るエレベータの電力変換装置のさらに他の実施の形態を説明する構成図であって、同図（ａ）は正面図、同図（ｂ）は他側方からみた側面図。
【図７】本発明に係るエレベータの電力変換装置のさらに他の実施の形態を説明する構成図であって、同図（ａ）は正面図、同図（ｂ）は他側方からみた側面図。
【符号の説明】
【００７６】
１…巻上機、２…そらせシーブ、３…メインロープ、４…エレベータかご、５…つり合いおもり、６…機械室、７…昇降路、１０…ガバナ装置、１１…ガバナ本体部、１２…ガバナシーブ、１２ａ…シャフト、１３…ガバナテンショナー、１４…ガバナロープ、１５…かご連携部材、１６…連結バー、１７ａ，１７ｂ…シーブ取付け用ブラケット、１９ａ，１９ｂ，１９ｃ，１９ｄ…発電機取付け用ブラケット、２０，２０Ａ１，２０Ａ２…発電機、２０ａ，２０ａ１，２０ａ…ロータ部（２０ｂ…回転円板を含む）、２１…非常用電源、３２ａ，３２ｂ…シーブ取付け用ブラケット、３４ａ，３４ｂ…注油器、３５ａ，３５ｂ…スポンジ、３６ａ，３６ｂ…ローラ、４１ａ…Ｓ極磁石、４１ｂ…Ｎ極磁石、４２…磁場検出装置、５１，５２…発電機取付け用ブラケット、５５ａ，５５ｂ…ローラ、６１ａ,６１ｂ…シーブ取付け用ブラケット、６２…テンショナー・シーブ、６２ａ…シーブシャフト。
【図１】
2009113891.tif 000003
【図２】
2009113891.tif 000004
【図３】
2009113891.tif 000005
【図４】
2009113891.tif 000006
【図５】
2009113891.tif 000007
【図６】
2009113891.tif 000008
【図７】
2009113891.tif 000009